(57)【要約】【課題】  ＥＭＩ対策を安価に行え、高画質な画像データを得られるＣＣＤ制御信号生成装置、およびこのＣＣＤ制御信号生成装置を備える画像読取装置を提供する。【解決手段】  基本クロックを発生するＰＬＬ２２と、基本クロックを入力とし、基本クロックの一定でない所定クロック数ごとに内部基準クロックを発生する内部基準クロック生成回路２３と、基本クロックと内部基準クロックとを入力とし、内部基準クロックが入力されてから、基本クロックの一定の所定クロック数後に、電荷結合素子の駆動タイミングを与えるＣＣＤクロックを発生するＣＣＤクロック生成回路２５と、基本クロックとＣＣＤクロックとを入力とし、ＣＣＤクロックが入力されてから、基本クロックの一定の所定クロック数後に、画像データのサンプリング期間を与えるサンプルホールド信号を発生するサンプルホールド信号生成回路２６とをＣＣＤ制御信号生成回路２に備える。【選択図】  図２
2006074189.tif 000002
【特許請求の範囲】
【請求項１】
基本クロック信号を発生する基本クロック発生手段と、
前記基本クロック信号を入力とし、前記基本クロック信号の予め保有している一定でないクロック数ごとに内部基準クロック信号を発生する内部基準クロック発生手段と、
前記基本クロック信号と前記内部基準クロック信号とを入力とし、前記内部基準クロック信号が入力されてから、前記基本クロック信号の予め定められた一定のクロック数後に、電荷結合素子の駆動タイミングを与えるＣＣＤクロック信号を発生するＣＣＤクロック発生手段と、
前記基本クロック信号と前記ＣＣＤクロック信号とを入力とし、前記ＣＣＤクロック信号が入力されてから、前記基本クロック信号の予め定められた一定のクロック数後に、画像データのサンプリング期間を与えるサンプルホールド信号を発生するサンプルホールド信号発生手段と
を備えるＣＣＤ制御信号生成装置。
【請求項２】
前記内部基準クロック発生手段は、前記予め保有している一定でないクロック数を定義したテーブルを保持する請求項１に記載のＣＣＤ制御信号生成装置。
【請求項３】
前記予め保有している一定でないクロック数は、予め定められた基準となるクロック数から、予め定められた最大クロック数まで１ずつ増加した後、予め定められた最小クロック数まで１ずつ減少することを繰り返してなる請求項１又は２に記載のＣＣＤ制御信号生成装置。
【請求項４】
請求項１〜３のいずれかに記載のＣＣＤ制御信号生成装置と、
前記ＣＣＤクロック信号と前記サンプルホールド信号とを入力とし、前記ＣＣＤクロック信号により与えられた時期に駆動され、電荷結合素子により検出されている画像データを前記サンプルホールド信号により与えられた期間にサンプリングするＣＣＤセンシング手段と
を備える画像読取装置。
【発明の詳細な説明】
【技術分野】
【０００１】
本発明は、ＣＣＤ（電荷結合素子）を制御するための制御信号を生成するＣＣＤ制御信号生成装置、およびそのＣＣＤ制御信号生成装置を備える画像読取装置に関する。
【背景技術】
【０００２】
従来、デジタル複写機等の画像読取装置において、原稿画像の読み取りにＣＣＤ（電荷結合素子）を用いたシステムが採用されている。このＣＣＤを動作させるために、ＣＣＤの動作を制御するための各種制御信号（制御クロック、サンプルホールド信号等）を専用回路で生成してＣＣＤに供給している。
【０００３】
通常、上記の各種制御信号は電線等のケーブルにより専用回路からＣＣＤに対して出力されている。そして近年、このケーブルからの輻射ノイズがＥＭＩ（Electromagnetic Interference）の問題として取り上げられている。このＥＭＩ対策として、上記信号を出力するための電線をシールドすることや、ＳＳＣＧ（Spread Spectrum Clock Generator）デバイスを用いることによりクロックの周波数を分散させることが通常行われている（特許文献１）。
【特許文献１】特開２００３−３３２９０８号公報
【発明の開示】
【発明が解決しようとする課題】
【０００４】
しかしながら、上記のように、電線をシールドしたり、ＳＳＣＧデバイスを用いることは、共にコストアップの要因となる。また、ＳＳＣＧデバイスを用いた場合には、ＣＣＤにおいて、ＣＣＤクロックの入力されてから画像読み取りまでの時間が一定でなくなるため、画像の読み取りタイミングが画素ごとに異なり、所望のタイミングからずれてしまうので、画像にノイズが載ってしまい、このための調整や確認実験等に多大な時間を要することとなるという問題があった。
【０００５】
本発明は、上記問題点に鑑みて成されたもので、ＥＭＩ対策を安価に行え、高画質な画像データを得ることができるＣＣＤ制御信号生成装置、およびこのＣＣＤ制御信号生成装置を備える画像読取装置を提供することを目的とする。
【課題を解決するための手段】
【０００６】
請求項１に係るＣＣＤ制御信号生成装置は、基本クロック信号を発生する基本クロック発生手段と、前記基本クロック信号を入力とし、予め保有している一定でない前記基本クロック信号のクロック数ごとに内部基準クロック信号を発生する内部基準クロック発生手段と、前記基本クロック信号と前記内部基準クロック信号とを入力とし、前記内部基準クロック信号が入力されてから、前記基本クロック信号の予め定められた一定のクロック数後に、電荷結合素子の駆動タイミングを与えるＣＣＤクロック信号を発生するＣＣＤクロック発生手段と、前記基本クロック信号と前記ＣＣＤクロック信号とを入力とし、前記ＣＣＤクロック信号が入力されてから、前記基本クロック信号の予め定められた一定のクロック数後に、画像データのサンプリング期間を与えるサンプルホールド信号を発生するサンプルホールド信号発生手段とを備えるものである。
【０００７】
この構成によれば、一定周波数（一定波長）の基本クロック信号の毎回異なるクロック数ごとに内部基準クロック信号が発生されるので、内部基準クロック信号の周波数が分散され、安価にＥＭＩを抑えることができる。また、ＣＣＤクロック信号及びサンプルホールド信号が内部基準クロック信号が発生されてから一定の時間後に発生されるので、電荷結合素子の検出する画像データのサンプリング期間を電荷結合素子の駆動タイミングに対して一定にすることができ、安定した画像データがサンプリングできることで、画像へのノイズを防いで高画質のデータを得ることができる。
【０００８】
請求項２に係るＣＣＤ制御信号生成装置は、請求項１に記載のＣＣＤ制御信号生成装置であって、前記内部基準クロック発生手段は、前記予め保有している一定でないクロック数を定義したテーブルを保持するものである。
【０００９】
この構成によれば、内部基準クロックを発生する、前記予め保有している一定でないクロック数の定義（周期パターン）を予め定めてテーブルとして記憶しておくので、より複雑な周期パターンを設定することが容易になり、ＥＭＩ対策のより高い効果を得ることができる。
【００１０】
請求項３に係るＣＣＤ制御信号生成装置は、請求項１又は２に記載のＣＣＤ制御信号生成装置であって、前記予め保有している一定でないクロック数は、予め定められた基準となるクロック数から、予め定められた最大クロック数まで１ずつ増加した後、予め定められた最小クロック数まで１ずつ減少することを繰り返してなるものである。
【００１１】
この構成によれば、ＥＭＩ対策効果の高い適切なクロック数を容易に取得することができる。
【００１２】
請求項４に係る画像読取装置は、請求項１〜３のいずれかに記載のＣＣＤ制御信号生成装置と、前記ＣＣＤクロック信号と前記サンプルホールド信号とを入力とし、前記ＣＣＤクロック信号により与えられた時期に駆動され、電荷結合素子により検出されている画像データを前記サンプルホールド信号により与えられた期間にサンプリングするＣＣＤセンシング手段とを備えるものである。
【００１３】
この構成によれば、請求項１〜３の効果を奏する画像読取装置を提供することができる。
【発明の効果】
【００１４】
請求項１に記載の発明によれば、毎回異なる基本クロック信号のクロック数ごとに内部基準クロック信号が発生されるので、内部基準クロック信号の周波数が分散され、安価にＥＭＩを抑えることができる。また、ＣＣＤクロック信号及びサンプルホールド信号が内部基準クロック信号が発生されてから一定の時間後に発生されるので、電荷結合素子の検出する画像データのサンプリング期間を電荷結合素子の駆動タイミングに対して一定にすることができ、安定した画像データがサンプリングできることで、画像へのノイズを防いで高画質のデータを得ることができる。
【００１５】
請求項２に記載の発明によれば、内部基準クロックを発生する、前記予め保有している一定でないクロック数の定義（周期パターン）を予め定めてテーブルとして記憶しておくので、より複雑な周期パターンを設定することが容易になり、ＥＭＩ対策のより高い効果を得ることができる。
【００１６】
請求項３に記載の発明によれば、ＥＭＩ対策効果の高い適切なクロック数を容易に取得することができる。
【００１７】
請求項４に記載の発明によれば、請求項１〜３の効果を奏する画像読取装置を提供することができる。
【発明を実施するための最良の形態】
【００１８】
以下、本発明の一実施形態における画像読取装置について図面を参照しながら説明する。図１は、本発明の一実施形態に係る画像読取装置の一例である複写機の内部構成を概略的に示す側面図である。複写機１は、本体部１ａと、本体部１ａの左方に配設されたスタックトレイ１ｂと、本体部１ａの上部に配設された原稿読取部１ｃと、原稿読取部１ｃの上方に配設された原稿給送部１ｄとを有している。
【００１９】
原稿読取部１ｃは、ＣＣＤセンサ５１１（図２参照）及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを画像形成制御部（図示省略）へ出力する。また、原稿給送部１ｄにより給送された原稿を読み取るときは、原稿読取スリット５３と対向する位置に移動され、原稿読取スリット５３を介して原稿給送部１ｄによる原稿の搬送動作と同期して原稿の画像を取得し、その画像データを画像形成制御部へ出力する。
【００２０】
原稿給送部１ｄは、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２１】
また、原稿給送部１ｄは、その前面側が上方に移動可能となるように本体部１ａに対して回動自在に設けられている。原稿給送部１ｄの前面側を上方に移動させて原稿台５２上面を開放することにより、原稿台５２の上面に読み取り原稿、例えば見開き状態にされた書籍等を操作者が載置できるようになっている。
【００２２】
本体部１ａは、それぞれ用紙種（両面に印刷が可能な普通紙、片面のみに印刷が可能な再利用紙等）やサイズが異なる記録紙を収納する複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。なお、各給紙カセット４６１に収容されている用紙種及び用紙サイズは画像形成制御部に記憶されており、操作者が印刷に用いる用紙種を設定すると、その用紙種が収容されている給紙カセット４６１から記録紙が給紙されるようになっている。
【００２３】
記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ１ｂ又は排出トレイ４８まで搬送する搬送ローラ４６３，４６４等とを備える。
【００２４】
図２は、本実施形態における複写機１のスキャナ部５１の備えるＣＣＤセンサ５１１及びＣＣＤ制御信号生成回路２の構成を示すブロック図である。ＣＣＤセンサ５１１は、ＣＣＤを用いた画像読取装置で、１画素ごとに原稿の画像を読み取る。ＣＣＤセンサ５１１は、ＡＦＥ（アナログフロントエンド）５１２を備える。ＡＦＥ５１２は、アナログ信号を入力とし、Ａ／Ｄ変換を行う例えばＩＣ（集積回路）である。ＣＣＤ制御信号生成回路２は、ＣＣＤセンサ５１１の動作のタイミング制御のための制御信号、及びＡＦＥ５１２へ入力する制御信号を生成し、ＣＣＤセンサ５１１及びＡＦＥ５１２へ出力するものである。ＣＣＤ制御信号生成回路２は、水晶発振器２１、ＰＬＬ（Phase Locked Loop）２２、内部基準クロック生成回路２３、周期パターンテーブル２４、ＣＣＤクロック生成回路２５、サンプルホールド信号生成回路２６、リセット信号生成回路２７、及びＡ／Ｄ変換タイミング信号生成回路２８を備える。
【００２５】
信号線Ｃ１は、水晶発振器２１がクロック信号を出力する信号線である。信号線Ｃ２は、ＰＬＬ２２が基本クロック信号を出力する信号線である。信号線Ｃ３は、内部基準クロック生成回路２３が内部基準クロック信号を出力する信号線である。信号線Ｃ４は、ＣＣＤクロック生成回路２５がＣＣＤクロック信号を出力する信号線である。信号線Ｃ５は、サンプルホールド信号生成回路２６がサンプルホールド信号を出力する信号線である。信号線Ｃ６は、リセット信号生成回路２７がリセット信号を出力する信号線である。信号線Ｃ７は、Ａ／Ｄ変換タイミング信号生成回路２８がＡ／Ｄ変換タイミング信号を出力する信号線である。
【００２６】
ＣＣＤクロック信号はＣＣＤセンサ５１１を駆動する契機を与えるもので、例えばＣＣＤクロック信号の立ち上がりがＣＣＤセンサ５１１に入力されたときにＣＣＤセンサ５１１が駆動される。リセット信号はＣＣＤセンサ５１１をリセットする契機を与えるもので、例えばリセット信号の立ち上がりがＣＣＤセンサ５１１に入力されたときにＣＣＤセンサ５１１がリセットされる。サンプルホールド信号はＣＣＤセンサ５１１において画像データをサンプリングする期間を与えるもので、例えばサンプルホールド信号の立ち上がりから立ち下がりまでの期間、サンプリングを行う。Ａ／Ｄ変換タイミング信号はＣＣＤセンサ５１１でサンプリングした画像データをＡ／Ｄ変換するタイミングを与えるもので、例えばＡ／Ｄ変換タイミング信号の立ち上がりから立ち下がりまでの期間、サンプリングしたアナログ画像データをデジタルに変換する。
【００２７】
水晶発振器２１は、水晶振動子と水晶発振回路とを備えたもので、特定周波数のクロックを信号線Ｃ１に出力するものである。ＰＬＬ２２は、水晶発振器２１から出力される特定周波数のクロック信号（信号線Ｃ１）を入力として、この特定周波数のクロック信号をベースに任意の（一定の）出力周波数を作り出し、信号線Ｃ２に出力するものである。本実施形態においては、ＰＬＬ２２の生成するクロック信号を基本クロック信号とする。
【００２８】
周期パターンテーブル２４は、後述する内部基準クロックを生成する、基本クロックのクロック数（周期）の定義を記憶するものである。周期パターンテーブル２４は、例えば、所定の基準クロック周期からの１サイクル（基の基準クロック周期に戻るまで）分の変位データとしての周期パターン「０，＋１，＋２，・・・，＋Ｎ，＋（Ｎ−１），・・・，＋１，０，・・・，−Ｎ，−（Ｎ−１），・・・，−２，−１」をテーブルとして保持する。この場合、Ｎが「５」で基準クロック周期が「１０」の場合には、基本クロック数が、順に「１０，１１，１２，１３，１４，１５，１４，１３，１２，１１，１０，９，８，７，６，５，６，７，８，９」となるごとに内部基準クロックを発生する。つまり、最初の内部基準クロックは基本クロックが１０入力されたときに発生し、次の内部基準クロックは基本クロックが次に１１入力されたときに発生するという具合にする。周期パターンテーブル２４には、必ずしも基準クロック周期からの変位データを記憶しておく必要はなく、変動させる基本クロックの周期自体を記憶しておいてもよい。
【００２９】
内部基準クロック生成回路２３は、周期パターンテーブル２４から周期パターンを順次読み出して、この周期パターンを自身の保持する基準クロック周期と加え合わせて、内部基準クロックを発生するクロック数（周期）を作成し、ＰＬＬ２２から入力される基本クロック信号（信号線Ｃ２）をこのクロック数分カウントして、内部基準クロックを発生するクロック数（周期）がきたならば、信号線Ｃ３から出力する内部基準クロック信号を立ち上げ、内部基準クロック信号を立ち上げてから所定基本クロック、例えば９基本クロック後に内部基準クロック信号を立ち下げる。
【００３０】
ＣＣＤクロック生成回路２５は、内部基準クロック信号（信号線Ｃ３）と基本クロック信号（信号線Ｃ２）を入力とし、内部基準クロック信号の立ち上がりが入力されてから所定基本クロック、例えば４基本クロック後に、信号線Ｃ４から出力するＣＣＤクロック信号を立ち上げ、ＣＣＤクロック信号を立ち上げてから所定基本クロック、例えば９基本クロック後にＣＣＤクロック信号を立ち下げる。
【００３１】
サンプルホールド信号生成回路２６は、ＣＣＤクロック信号（信号線Ｃ４）と基本クロック信号（信号線Ｃ２）とを入力とし、ＣＣＤクロック信号の立ち上がりが入力されてから所定基本クロック、例えば１１基本クロック後に信号線Ｃ５から出力するサンプルホールド信号を立ち上げ、サンプルホールド信号を立ち上げてから所定基本クロック、例えば４基本クロック後にサンプルホールド信号を立ち下げる。
【００３２】
リセット信号生成回路２７は、ＣＣＤクロック信号と基本クロック信号とを入力とし、ＣＣＤクロック信号の立ち上がりが入力されてから所定基本クロック、例えば２基本クロック後に信号線Ｃ６から出力されるリセット信号を立ち上げ、リセット信号を立ち上げてから所定基本クロック、例えば４基本クロック後にリセット信号を立ち下げる。
【００３３】
Ａ／Ｄ変換タイミング信号生成回路２８は、ＣＣＤクロック信号と基本クロック信号とを入力とし、ＣＣＤクロック信号の立ち上がりが入力されてから所定基本クロック、例えば１４基本クロック後に信号線Ｃ７から出力されるＡ／Ｄ変換タイミング信号を立ち上げ、Ａ／Ｄ変換タイミング信号を立ち上げてから所定基本クロック、例えば４基本クロック後にＡ／Ｄ変換タイミング信号を立ち下げる。
【００３４】
図３は、本実施形態におけるＣＣＤ制御信号生成回路２の信号のタイミングを表すタイミングチャートである。波形Ｗ１は、ＰＬＬ２２から出力される基本クロック信号の信号レベルを表すものである。基本クロック信号Ｗ１は、所定の単一周波数を持つクロック信号で、一定の所定時間ごとに信号が立ち上がり、この立ち上がりから一定の所定時間後に信号が立ち下がる。波形Ｗ２は、内部基準クロック生成回路２３から出力される内部基準クロック信号の信号レベルを表すものである。内部基準クロック信号Ｗ２は、一定でない所定の基本クロック数ごと（例えば図３においては、１つ目の内部基準クロックの立ち上がりから２つ目の内部基準クロックの立ち上がりまでの基本クロック数が１８で、２つ目の内部基準クロックの立ち上がりから３つ目の内部基準クロックの立ち上がりまでの基本クロック数が１９）に信号が立ち上がり、この立ち上がりから一定の所定の基本クロック数後（例えば９基本クロック）に信号が立ち下がる。
【００３５】
波形Ｗ３は、ＣＣＤクロック生成回路２５から出力されるＣＣＤクロック信号の信号レベルを表すものである。ＣＣＤクロック信号Ｗ３は、内部基準クロック信号Ｗ２の立ち上がりから一定の所定の基本クロック数後（例えば４基本クロック後）に信号が立ち上がり、この立ち上がりから一定の所定の基本クロック数後（例えば９基本クロック後）に信号が立ち下がる。波形Ｗ４は、リセット信号生成回路２７から出力されるリセット信号の信号レベルを表すものである。リセット信号Ｗ４は、ＣＣＤクロック信号Ｗ３の立ち上がりから一定の所定の基本クロック数後（例えば２基本クロック後）に信号が立ち上がり、この立ち上がりから一定の所定の基本クロック数後（例えば４基本クロック後）に信号が立ち下がる。
【００３６】
波形Ｗ５は、サンプルホールド信号生成回路２６から出力されるサンプルホールド信号の信号レベルを表すものである。サンプルホールド信号Ｗ５は、ＣＣＤクロック信号Ｗ３の立ち上がりから一定の所定の基本クロック数後（例えば１１基本クロック後）に信号が立ち上がり、この立ち上がりから一定の所定の基本クロック数後（例えば４基本クロック後）に信号が立ち下がる。波形Ｗ６は、Ａ／Ｄ変換タイミング信号生成回路２８から出力されるＡ／Ｄ変換タイミング信号の信号レベルを表すものである。Ａ／Ｄ変換タイミング信号Ｗ６は、ＣＣＤクロック信号Ｗ３の立ち上がりから一定の所定の基本クロック数後（例えば１４基本クロック後）に信号が立ち上がり、この立ち上がりから一定の所定の基本クロック数後（例えば４基本クロック後）に信号が立ち下がる。
【００３７】
波形Ｗ７は、ＣＣＤセンサ５１１が画像を検出して出力するＣＣＤデータ信号である。ＣＣＤクロック信号Ｗ３の立ち上がりから次のＣＣＤクロック信号Ｗ３の立ち上がりまでが１画素に対して検出されるＣＣＤデータ信号で、このＣＣＤデータ信号は、ＣＣＤクロック信号Ｗ３の立ち上がりからほぼ一定の時期に安定する。この安定期にサンプルホールド信号をハイ状態にしてＣＣＤデータをサンプリングする。
【００３８】
このように本実施形態によれば、リセット信号Ｗ４、サンプルホールド信号Ｗ５、及びＡ／Ｄ変換タイミング信号Ｗ６のそれぞれを、ＣＣＤクロック信号Ｗ３の立ち上がりから一定の所定時間後に立ち上げ、及び立ち下げるようにしたので、各画素に対するＣＣＤデータのサンプリング時期がＣＣＤクロック信号Ｗ３の立ち上がりから同じ時間経過した後の同じ長さの期間で行われる。ＣＣＤデータ信号Ｗ７は、各画素の読み取りに対しＣＣＤクロック信号Ｗ３の立ち上がりからほぼ一定の時期に安定するので、ＣＣＤクロック信号Ｗ３の立ち上がりから一定の時期にデータをサンプリングすることによりノイズの少ないデータを取得することができる。また、内部基準クロック信号Ｗ２（ＣＣＤクロック信号Ｗ３）は、一定を周波数を有する基本クロック信号Ｗ１の一定でないクロック数ごとに立ち上げられるので、内部基準クロック信号Ｗ２（ＣＣＤクロック信号Ｗ３）の周波数が分散され、これにより安価にＥＭＩ対策が行われる。
【００３９】
なお、本発明は、上記実施形態のものに限定されるものではなく、以下に述べる態様を採用することができる。本実施形態においては、画像読取装置として複写機を用いて説明したが、ファクシミリ装置またはスキャナ装置等やこれらの機能を統合した複合機、或いはデジタルカメラ等、画像を読み取る装置であればどのような装置であってもよい。また、これらの装置のスキャナ（画像読取）部のみを画像読取装置としてもよい。
【００４０】
また、本実施形態においては、内部基準クロックを発生させる周期パターンの定義をテーブルに記憶させておき、それを読み込んで内部基準クロックを生成するようにしたが、変化させるロジックを回路に組み込んでおいてもよい。
【００４１】
本実施形態においては、専用回路（内部基準クロック生成回路２３）により内部基準クロックの発生制御を行ったが、ＣＰＵを備えてソフトウェアにより内部基準クロックの発生制御を行うようにしてもよい。また、本実施形態においては、内部基準クロック生成回路２３とＣＣＤクロック生成回路２５を備えたが、ＣＣＤクロック生成回路２５を備えず、内部基準クロック信号をＣＣＤクロック信号として用いてもよい。
【図面の簡単な説明】
【００４２】
【図１】本発明の一実施形態における画像形成装置の機械的構成を示す側面外略図である。
【図２】本発明の一実施形態におけるＣＣＤ制御信号生成回路の構成を示すブロック図である。
【図３】本発明の一実施形態におけるＣＣＤ制御信号のタイミングを示すタイミングチャートである。
【符号の説明】
【００４３】
１  複写機（画像読取装置）
２  ＣＣＤ制御信号生成回路（ＣＣＤ制御信号生成装置）
２２  ＰＬＬ（基本クロック発生手段）
２３  内部基準クロック生成回路（内部基準クロック発生手段）
２４  周期パターンテーブル（テーブル）
２５  ＣＣＤクロック生成回路（ＣＣＤクロック発生手段）
２６  サンプルホールド信号生成回路（サンプルホールド信号発生手段）
５１１  ＣＣＤセンサ（ＣＣＤセンシング手段）
【図１】
2006074189.tif 000003
【図２】
2006074189.tif 000004
【図３】
2006074189.tif 000005